(57)【要約】ディスクカートリッジは、ディスクが収納され、ディスクドライブ装置のホルダ内に挿入される時、そのホルダの両側壁にガイドされつつ、進入するケースを含み、このケースがホルダの両側壁と面接触すべく形成された平面部及び、その平面部を連結する曲面部よりなる。このような構成のディスクカートリッジは、ケースのコーナー部がラウンド形状の曲面部より構成されているので、製品のコンパクト化に有利であり、かつディスクドライブ装置のホルダへの進入時には、ホルダ内壁と平面部とが面接触されるので、ローディング作業が安定的かつ正確に行われる。
2005534134.tif 000002
【特許請求の範囲】
【請求項１】
ディスクが収納され、ディスクドライブ装置のホルダ内に挿入される時、そのホルダの両側壁にガイドされつつ進入するケースを含むディスクカートリッジにおいて、
前記ケースは、
前記ホルダの両側壁と面接触すべく形成された平面部と、その平面部を連結する曲面部とを含んでなることを特徴とするディスクカートリッジ。
【請求項２】
前記平面部は、第１直線方向に沿ってケースの両側に形成された第１平面部と、前記第１直線方向と垂直になる第２直線方向に沿ってケースの両側に形成された第２平面部とを含むことを特徴とする請求項１に記載のディスクカートリッジ。
【請求項３】
前記第２平面部の両側間長さＹは、前記第１平面部の両側間長さＸより長いことを特徴とする請求項２に記載のディスクカートリッジ。
【請求項４】
前記第１平面部の何れか１側には、それより段差を形成し、外郭側に延びた段差部がさらに備えられたことを特徴とする請求項３に記載のディスクカートリッジ。
【請求項５】
前記第２平面部の両側間長さＹは、前記第１平面部の両側間長さＸと、前記段差部が外郭側に延びた長さＺとの和よりは短いことを特徴とする請求項４に記載のディスクカートリッジ。
【請求項６】
前記段差部は、曲面部よりなることを特徴とする請求項４に記載のディスクカートリッジ。
【請求項７】
ケース内にディスクが収納されたディスクカートリッジをホルダに挿入した後、ローディングさせて記録再生作業を行うディスクドライブ装置において、
前記ケースは、前記ホルダに挿入される方向と平行に両側端部に形成された第１平面部と、それと垂直になる両側端部に形成された第２平面部と、前記両側第１平面部のうち何れか１側に相対的に薄く、外郭に突設された段差部とを備え、
前記ホルダは、前記第１平面部と面接触しつつ、ディスクカートリッジの挿入を支持するように両側に設けられた内壁と、前記段差部が挿入されるように前記両側内壁のうち何れか１側に連結されて形成されたスロット部とを含んでなることを特徴とするディスクドライブ装置。
【請求項８】
前記内壁間の距離は、前記両側第２平面部間の長さより狭く形成されたことを特徴とする請求項７に記載のディスクドライブ装置。
【請求項９】
ケース内にディスクが収納されたディスクカートリッジをホルダに挿入した後、ローディングさせて記録再生作業を行うディスクドライブ装置において、
前記ケースは、前記ホルダに挿入される方向と垂直になるように、両側端部に形成された第１平面部と、前記挿入方向と平行になるように両側端部に形成された第２平面部と、前記両側第１平面部のうち何れか１側に相対的に薄い厚さを有し、外郭に突設された段差部とを含み、
前記ホルダは、前記第２平面部と面接触しつつディスクカートリッジの挿入を支持するように両側に設けられた内壁を含み、前記両側内壁間の間隔は、前記両側の第１平面部間の距離と前記段差部の突出長さとの和より狭く形成されたことを特徴とするディスクドライブ装置。
【発明の詳細な説明】
【技術分野】
【０００１】
本発明は、情報記録再生媒体のディスクを収納し、その記録面に指紋などが付かないように保護するディスクカートリッジと、そのディスクカートリッジをローディングして使用するディスクドライブ装置に関する。
【背景技術】
【０００２】
ディスクカートリッジは、ディスクを収納してディスクドライブ装置内に共にローディングされる一種のディスク保護具であって、通常、開閉可能な上下部ケースより構成され、その上下ケース内に形成された収納空間にディスクを収納するものである。このようなディスクカートリッジとして従来には一般的に四角形のケースが広く採用された。すなわち、四角形のケース内に円形のディスクが収納される空間を作って、その内にディスクを収納させることが一般的な形であった。ところが、このような四角形のケースは、ディスクを収納させるのに必要な円形部以外に４つのコーナー部が不要に突設される結果となって、ディスクドライブ装置の小型化を阻害する要素として指摘されてきた。
【０００３】
したがって、このような指摘を勘案した構造として、図１に示されたような円形のディスクカートリッジ２０が提案された。これは、ディスクＤの形状によってケースも円形に形成して全体サイズをコンパクト化し、軟らかいラウンド形状による美的効果も高めたものである。ところが、このような円形のケースよりなるディスクカートリッジ２０は、例示されたカムコーダ１０のようなディスクドライブ装置内にローディングさせる時、ローディングが不安定になる恐れが多い。すなわち、ディスクカートリッジ２０をカムコーダ１０のドア１１の内側に設けられたホルダ１２内に挿入した後、ドア１１を閉じるが、この時、うっかりしてしまえば、円形のケースが回って正位置を離脱しやすい。ディスクカートリッジ２０のケースには、カムコーダ１０のようなディスクドライブ装置内の記録再生ユニットがディスクＤにアクセス可能に上下にアクセスホール２１が形成されているので、ディスクカートリッジ２０が正位置を離脱してローディングされれば、アクセスホール２１の位置も変わるために、記録再生ユニットがディスクＤに正しくアクセスできなくなる。
【発明の開示】
【発明が解決しようとする課題】
【０００４】
本発明は、前記問題点を勘案して案出されたものであって、全体的な大きさをコンパクト化しつつ、ディスクドライブ装置へのローディング作業をさらに安定的に行えるように改善されたディスクカートリッジ及びそれを使用するディスクドライブ装置を提供するところに目的がある。
【課題を解決するための手段】
【０００５】
前記目的を達成するための本発明のディスクカートリッジは、ディスクが収納されてディスクドライブ装置のホルダ内に挿入される時、そのホルダの両側壁にガイドされつつ進入するケースを含むディスクカートリッジにおいて、前記ケースが前記ホルダの両側壁と面接触すべく形成された平面部と、その平面部を連結する曲面部とを含んでなることを特徴とする。
【０００６】
また、前記目的を達成するための本発明のディスクドライブ装置は、ケース内にディスクが収納されたディスクカートリッジをホルダに挿入した後、ローディングさせて記録再生作業を行うディスクドライブ装置において、前記ケースは、前記ホルダに挿入される方向と平行に両側端部に形成された第１平面部と、それと垂直になる両側端部に形成された第２平面部と、前記両側第１平面部のうち、何れか１側に相対的に薄い厚さを有し、外郭に突設された段差部とを備え、前記ホルダは、前記第１平面部と面接触しつつ、ディスクカートリッジの挿入を支持するように両側に設けられた内壁と、前記段差部が挿入されるように前記両側内壁のうち、何れか１側に連結されて形成されたスロット部とを含んでなることを特徴とする。
【０００７】
また、本発明の他の特徴によるディスクドライブ装置は、ケース内にディスクが収納されたディスクカートリッジをホルダに挿入した後、ローディングさせて記録再生作業を行うディスクドライブ装置において、前記ケースは、前記ホルダに挿入される方向と垂直になるように両側端部に形成された第１平面部と、前記挿入方向と平行になるように両側端部に形成された第２平面部と、前記両側第１平面部のうち、何れか１側に相対的に薄い厚を有し、外郭に突設された段差部とを含み、前記ホルダは、前記第２平面部と面接触しつつ、ディスクカートリッジの挿入を支持すべく両側に設けられた内壁を含み、前記両側内壁間の間隔は、前記両側第１平面部間の距離と前記段差部の突出長さとの和より狭く形成されたことを特徴とする。
【発明を実施するための最良の形態】
【０００８】
図３は、本発明によるディスクカートリッジ１００及びそのディスクカートリッジ１００がローディングされて使われるディスクドライブ装置２００を示す図である。すなわち、ディスクＤが収納されたディスクカートリッジ１００をカムコーダのようなディスクドライブ装置２００のホルダ２２０に挿入した後、ドア２１０を閉めれば、ディスクカートリッジ１００がローディングされて記録と再生作業を行えるようになる。
【０００９】
ディスクカートリッジ１００は、図３及び図４に示されたように、ディスクＤを収納する上下部ケース１１０、１２０を含む。それら上下部ケース１１０、１２０は、開閉可能にヒンジ結合されている。以下、上下部ケース１１０、１２０を通称してケースと称する。参照符号１００ａは、ディスクドライブ装置２００内で記録再生作業のためにターンテーブル（図示せず）とクランプ（図示せず）及びピックアップ（図示せず）などがディスクＤにアクセス可能に上下に開放されたアクセスホールを表す。
【００１０】
一方、本発明のディスクカートリッジ１００に採用されたケース１１０、１２０は、コンパクト化のために基本的に円形を有しているが、部分的に直線部を有する形状よりなる。すなわち、図４に示されたように、各コーナー部がラウンド状を有する円形を保持しつつ、ディスクドライブ装置のドア２１０内側に設けられたホルダ２２０に進入する矢印Ａ方向を第１直線方向であるとする時、ケース１１０、１２０には第１直線方向に沿って平行に両側に形成された第１平面部１０１と、それと垂直になる第２直線方向に沿って両側に形成された第２平面部１０２とを含む。そして、この第１、第２平面部１０１、１０２を除外した残りの部分は円形の形態を基本としているために、結果的に、各平面部１０１、１０２を曲面部１０３が連結する形となる。第１、第２平面部１０１、１０２は、ディスクカートリッジ１００がホルダ２２０内に挿入される時、ホルダ２２０の両側内壁２２１に面接触しつつガイドさせる役割をする。すなわち、従来のようにケース全体を円形にすれば、ホルダ内壁とほとんど点接触によるガイドがなされるために、ディスクカートリッジが正しいローディング位置から外れて回ってしまう恐れが多いが、前記のように面接触される第１、第２平面部１０１、１０２を設ければ、ディスクカートリッジ１００がホルダ２２０内で回らなくなるので、安定したローディング位置ガイドが可能となる。
【００１１】
ここで、第１平面部１０１は、図４のように矢印Ａ方向にローディング方向が設定されたディスクドライブ装置にカートリッジ１００が挿入される時、ホルダ２２０の内側壁２２１に面接触すべく作ったものであり、第２平面部１０２はそれと垂直な矢印Ｂ方向にローディング方向が設定されたディスクドライブ装置に進入する場合、ホルダ内側壁に面接触すべく作ったものである（図７参照）。そして、アクセスホール１００ａと隣接した第１平面部１０１側には、それから外郭に突出されたラウンド形状の段差部１０４がさらに形成されている。この段差部１０４は、本来ケース１１０、１２０のうち、アクセスホール１００ａによりオープンされた部位を補強する役割をするが、同時にカートリッジ１００の左右を変えて誤って取り入れることを防止する役割もする。すなわち、図４のように第１平面部１０１を、ホルダ２２０の内壁２２１に面接触しつつ進入させて、カートリッジ１００をローディングさせれば、図５のような状態になるが、ホルダ２２０には第１平面部１０１と接触される内壁２２１だけでなく、段差部１０４が進入するように、その厚さに対応するスロット部２２２が形成されている。したがって、もし、図５の点線で示されたように、このカートリッジ１００の左右をひっくり返して段差部１０４が図面の右側に行くように挿入しようとするならば、本来右側にあったカートリッジ１００の部分は段差部１０４より厚くて、スロット部２２２に入れないので、誤挿入が根本的に防止されるものである。
【００１２】
一方、このような誤挿入の場合以外にも、もし、図４でＡ方向にカートリッジ１００を挿入しなければならないディスクドライブ装置にＢ方向に挿入を試みる場合、すなわち、段差部１０４が前に向うように回して挿入を試みる場合にも、これを防止する方案が必要である。このために、第２平面部１０２間の長さＹを第１平面部１０１間の長さＸより長く形成する。これにより、ホルダ２２０の両側内壁２２１間の距離は、第１平面部１０１間の長さＸに合わせて形成されているために、それより長い第２平面部１０２間の長さＹを幅としては、図６の点線で示されたようにホルダ２２０入口にかかって挿入が不可能になる。したがって、この方向への誤挿入も防止される。
【００１３】
逆に、図４のＢ方向にカートリッジ１００のローディング方向が設定されたディスクドライブ装置も有り得る。この場合には、図７のように第２平面部１０２がホルダ２２０の内壁２２１に面接触しつつ、挿入されたことが正常なローディング状態となる。そして、その時には、図４のＡ方向にカートリッジ１００を誤挿入する場合、その挿入を防止する方案がなければならないが、このために、第２平面部１０２間の長さＹを第１平面部１０１間の長さＸと段差部１０４の突出された長さＺとの和よりは短く構成する。したがって、もし、第１平面部１０１が内壁２２１に面接触する方向にカートリッジ１００を進入させれば、図８に示されたように、カートリッジ１００とホルダ２２０の幅が合わないために、挿入が防止される。もちろん、この場合、ホルダ２２０の内壁２２１は、両側第２平面部１０２と面接触しつつ進入をガイドするように、それと合う形を有する。
【００１４】
これを整理すれば、カートリッジを［第１平面部１０１間の長さＸ］＜［第２平面部１０２間の長さＹ］＜［第１平面部１０１間の長さＸ＋段差部１０４の外郭側突出長さＺ］の関係に合わせて構成すれば、設定されたローディング方向と異なってカートリッジをローディングさせようとしても、挿入が基本的に防止されるものである。したがって、誤挿入を、このような簡単な構成で防止できるようになる。
【００１５】
前記構成のディスクカートリッジ１００をディスクドライブ装置のホルダ２２０に挿入すれば、第１平面部１０１または第２平面部１０２がホルダ２２０の内壁２２１に面接触しつつ挿入されるために、カートリッジ１００が回る恐れがなくて、安定的かつ正確なローディングが可能となる。そして、前記のように各平面部１０１、１０２と段差部１０４の長さ関係を設定すれば、決まったローディング方向の誤挿入を防止しうる。
【産業上の利用可能性】
【００１６】
前述したような本発明のディスクカートリッジ及びディスクドライブ装置は次のような効果を有する。
【００１７】
第１に、ディスクカートリッジのケースのコーナー部が何れもディスクのようなラウンド形状より構成されているので、製品のコンパクト化に有利である。
【００１８】
第２に、ディスクドライブ装置のホルダに進入する時、ホルダ内壁と面接触がなされるので、ローディング作業が安定的でかつ正確に行われる。
【００１９】
第３に、ローディング方向によってカートリッジの進入可能な長さ関係を設定することによって、カートリッジの誤挿入を防止しうる。
【図面の簡単な説明】
【００２０】
【図１】従来のディスクカートリッジ及びそれを記録再生に用いるカムコーダを示す図である。
【図２】図１の要部を示す図である。
【図３】本発明によるディスクカートリッジ及びそれを使用するカムコーダを示す図である。
【図４】図３に示されたディスクカートリッジを拡大して示す図である。
【図５】図４に示されたディスクカートリッジがディスクドライブ装置のホルダに挿入される多様な場合を示す図である。
【図６】図４に示されたディスクカートリッジがディスクドライブ装置のホルダに挿入される多様な場合を示す図である。
【図７】図４に示されたディスクカートリッジがディスクドライブ装置のホルダに挿入される多様な場合を示す図である。
【図８】図４に示されたディスクカートリッジがディスクドライブ装置のホルダに挿入される多様な場合を示す図である。
【図１】
2005534134.tif 000003
【図２】
2005534134.tif 000004
【図３】
2005534134.tif 000005
【図４】
2005534134.tif 000006
【図５】
2005534134.tif 000007
【図６】
2005534134.tif 000008
【図７】
2005534134.tif 000009
【図８】
2005534134.tif 000010
【国際調査報告】
2005534134.tif 000011
2005534134.tif 000012